(57)【要約】【課題】送信要求の手続を簡単化しつつ、在来のペーパー等の広告メディアによって得られていたのと同様な形態で広告の詳細情報を得る。【解決手段】広告依頼会社１は有効な広告を実現したいと願っている。Ｉコード管理会社２は同じものが複数の広告依頼会社に貸与されることがないようにＩコードを管理する。情報発信会社３はＩコードのホームページをインターネット上に開設しており、また、広告依頼会社からＩコードと広告情報を受け取ると、所有するサーバ装置に登録しておく。従来型広告メディア４は広告依頼会社からの依頼により、Ｉコードを併記した従来型広告を掲載する。情報発信会社は、従来型広告メディアに掲載された広告を見たユーザ５の携帯端末６からＩコードを指定した広告情報の送信要求を受信すると、該当する広告情報を検索して、その携帯端末へ電子メールで送信する。【選択図】　　　　図１
2004145809.tif 000002
【特許請求の範囲】
【請求項１】
数個のキャラクタからなるインターネットコードと、これに対応する広告情報とをサーバ装置に登録しておき、前記インターネットコードが付加されている広告メディアに掲載された広告を見たユーザから前記インターネットコード及びメールアドレスを指定された広告情報の送信要求があると、前記サーバ装置は前記インターネットコードに対応する広告情報を検索して、指定された前記メールアドレスへ電子メールで転送することを特徴とする広告転送システム。
【請求項２】
広告依頼会社と
数個のキャラクタからなるインターネットコードを管理するインターネットコード管理会社と、
インターネットコード入力のためのポータルサイトをインターネット上に開設し、前記広告依頼会社からインターネットコードと広告情報を受け取り、前記インターネットコードと前記広告情報とを関連付けてサーバ装置に登録する情報発信会社と、
前記広告依頼会社からの依頼により、前記インターネットコードを記載した広告を掲載する広告メディアとで構成され、
前記情報発信会社は、前記広告メディアに掲載された広告を見たユーザの端末からインターネットコードおよびメールアドレスを指定した送信要求を受けて、前記インターネットコードに対応する広告情報を検索して、前記メールアドレスに前記広告情報を電子メールで送信することを特徴とする広告転送システム。
【請求項３】
前記サーバ装置は、前記インターネットコードと、前記広告情報とを格納し、前記広告情報の送信要求があると、入力されたインターネットコードをキーにして対応する広告情報を検索し、前記メールアドレスに前記広告情報を電子メールとして転送するメール送信用データベースを備えることを特徴とする請求項２記載の広告転送システム。
【請求項４】
前記広告情報の送信要求に付加された前記インターネットコードと前記メールアドレスとを収集してユーザ情報とすることを特徴とする請求項１乃至３のいずれかに記載の広告転送システム。
【請求項５】
前記サーバ装置は、前記広告情報の送信要求があった際に、前記インターネットコードと前記メールアドレスとを関連付けて格納する顧客登録用データベースを備えることを特徴とする請求項４記載の広告転送システム。
【請求項６】
前記数個のコードは、数字から構成される数桁のコードであることを特徴とする請求項１及び２に記載の広告転送システム。
【請求項７】
前記広告メディアは、印刷された広告、テレビ放送、文字放送、ラジオ放送を含むことを特徴とする請求項１及び２に記載の広告転送システム。
【請求項８】
数個のコードからなるインターネットコードを管理するインターネット管理会社が管理する手順と、
情報発信会社が前記インターネットコードを入力する為のポータルサイトとしてホームページをインターネット上に開設すると共に、広告依頼会社からインターネットコードと広告情報を受け取りサーバ装置上に前記インターネットコードと前記広告情報とを関連付けて登録する手順と、
広告メディアが前記広告依頼会社からの依頼により前記インターネットコードを含んだ広告をユーザに認識させる手順と、
前記インターネットに接続された端末上に表示された前記ホームページ上で入力されたインターネットコード及びメールアドレスを受け、前記サーバ装置内から前記入力されたインターネットコードに対応した広告情報を読み出し前記メールアドレスに対して電子メールで送信する手順とを備えることを特徴とする広告転送方法。
【請求項９】
前記メールアドレスを前記サーバ装置により収集する手順をさらに備えることを特徴とする請求項８記載の広告転送方法。
【請求項１０】
インターネットコードを入力するポータルサイトとしてのホームページをインターネット上に開設し、前記ホームページ上で入力されたインターネットコード及びメールアドレスを前記情報発信会社に対して転送し、転送されたインターネットコード及びメールアドレスに基づいて前記情報発信会社から電子メールにて広告情報を送信する広告転送方法。
【発明の詳細な説明】
【０００１】
【発明の属する技術分野】
本発明は、広告転送システムに関し、特に広告を電子的に転送する機能を備えた広告転送システムに関する。
【０００２】
【従来の技術】
一般的に、看板、電車の中吊り、新聞、雑誌等の広告には、電話、ＦＡＸ、郵便等によって、その広告の詳細を得ることができるが、近年ではインターネットの普及によって、これら広告にＵｎｉｆｏｒｍ　Ｒｅｓｏｕｒｃｅ　Ｌｏｃａｔｏｒ（ＵＲＬ）を記載し、当該ＵＲＬにアクセスすることによって、広告の詳細を当該ＵＲＬに対応したアドレスのホームページにて入手するというシステムが確立している。
【０００３】
このＵＲＬは、例えば「ｈｔｔｐ：／／ｗｗｗ．会社名．ｃｏ．ｊｐ」と表示されるが、ＵＲＬは、特に、携帯電話等の移動情報端末からアクセスする場合には、当該ＵＲＬの文字入力に大変な労力を必要とする。
【０００４】
このようなＵＲＬの代りに、ＵＲＬと数桁の番号とを対応づけ、当該番号を入力することによって、対応するホームページ上のコンテンツにアクセスすることを可能とするサービスが開始されている（従来技術１。例えば、非特許文献１参照）。
【０００５】
このサービスは、特定のホームページ上からインターネットナンバーと呼ばれる数桁の番号を入力することによって、インターネットナンバーに対応したＵＲＬのホームページにアクセスすることを可能とするものであり、ＵＲＬを入力しなくとも、広告に付加されているインターネットナンバーを入力するだけで簡単に所望のホームページにアクセスすることができるというものである。
【０００６】
また、広告を含む報知情報を電子メールに付加して転送する技術も知られている（従来技術２。例えば、特許文献１参照）。この技術では、メールセンタが保管している電子メールに対し、移動情報端末等からアクセス要求があった際、メールセンタは、保管中の電子メールを移動情報端末等に送ると共に当該電子メールに報知情報を付加して送信するというものである。
【０００７】
【非特許文献１】
「インターネットナンバーは、ＫＤＤＩグループの「カンタンアクセス」サービスに対応」、０２／０９／１７、インターネット＜ＵＲＬ：ｈｔｔｐ：／／ｗｗｗ．ｈａｔｃｈ．ｃｏ．ｊｐ／Ｎｅｗｓ／ｉｎｄｅｘ２．ｈｔｍｌ
【特許文献１】
特開２００１−２４６８９
【０００８】
【発明が解決しようとする課題】
上述した従来技術１では、インターネットナンバーとＵＲＬとが対応しているため広告を見たその場で詳細な情報を得る場合には、数桁の番号を入力することによってホームページにアクセスし情報を得ることができる。しかしながら、後で広告の詳細な内容を確認したい場合には、結局インターネットナンバーを記憶し、記憶したインターネットナンバーに基づいてアクセスを行なわなくてはならない。
【０００９】
または、後で詳細を確認するにもかかわらず、移動情報端末等の履歴にＵＲＬを残しておくために、とりあえずインターネットナンバーを入力しておく必要があり、さらに移動情報端末の場合には複数回のアクセスが必要になるため通信料がかさんでしまうという問題点もある。
【００１０】
また、移動情報端末の場合には、表示できる情報に制限があるため大容量のデータを取り扱う通常のページのアクセスには適していない。また、広告を出している側からすれば、通常は、ホームページにアクセスして来たユーザのコンタクト先が判らないため、その広告に興味を持ったユーザに対するフォローをすることができ無いという問題もある。
【００１１】
上述した従来技術２では、電子メール送信に広告等の報知情報を付加するだけであるため、広告の報知情報は、予めメールセンタに登録されたものに限られ、また、ユーザに対して一方的に広告を送りつけているだけであるため、広告を出している側ではユーザの好み等を把握することができない。
【００１２】
また、ユーザがメールに付加された広告に基づいてホームページにアクセスしたとしても、従来技術１と同様にユーザのコンタクト先が判らず、フォローをすることができない。
【００１３】
したがって、本発明の目的は、ユーザが興味を持った広告に関する情報のみをユーザに供給すると共に、広告を出している側がユーザの嗜好を把握することができるシステムを提供することにある。
【００１４】
【課題を解決するための手段】
本発明の広告転送システムは、インターネットコードと、これに対応する広告情報とをサーバに登録しておき、インターネットコードが付加されて従来型広告メディアに掲載された広告を見たユーザからインターネットコードを指定して広告情報の送信要求があると、サーバは該インターネットコードに対応する広告情報を検索して、指定されたメールアドレスへ電子メールで転送することを特徴とするものである。
【００１５】
より詳しくは、本発明の広告転送システムは、有効な広告を実現したいと願っている広告依頼会社（図１の１）と、同じものが複数の会社に貸与されることがないようにインターネットコードを管理するインターネットコード管理会社（図１の２）と、インターネットコードのホームページをインターネット上に開設しており、また、広告依頼会社からインターネットコードと広告情報を受け取ると、所有するサーバ装置に登録しておく情報発信会社（図１の３）と、広告依頼会社からの依頼により、インターネットコードを併記した従来型広告を掲載する従来型広告メディア（図１の４）とで構成され、情報発信会社は、従来型広告メディアに掲載された広告を見たユーザ（図１の５）の携帯端末（図１の６）からインターネットコードを指定した広告情報の送信要求を受信すると、該当する広告情報を検索して、その携帯端末へ電子メールで送信することを特徴とする。
【００１６】
本発明では、インターネットナンバーであるインターネットコードを同じものが複数の広告依頼会社に貸与されることがないようにインターネットコード管理会社が管理する。情報発信会社はインターネットコードのホームページをインターネット上に開設しており、また、広告依頼会社からインターネットコードと広告情報を受け取ると所有するサーバ装置に登録しておく。従来型広告メディアは広告依頼会社からの依頼によりインターネットコードを併記した従来型広告を掲載する。情報発信会社は、従来型広告メディアに掲載された広告を見たユーザの携帯端末からインターネットコードを指定した広告情報の送信要求を受信すると、該当する広告情報を検索して、その携帯端末へ電子メールで送信する。
【００１７】
このように、インターネットナンバーにより行った広告情報の送信要求に対して、電子メールで広告情報の転送を受けるという構成としたため、送信要求の手続を簡単化しつつ、在来のペーパー等の広告メディアによって得られていたのと同様な形態で広告の詳細情報を得ることができるようになる。
【００１８】
また、本発明では、広告情報の送信要求には転送先のメールアドレスが付加されているため、自然にメールアドレスを収集でき、これによってユーザ情報を把握できるようになる。
【００１９】
【発明の実施の形態】
次に、本発明の実施の形態について図面を参照しながら説明する。
【００２０】
【実施例】
図１は、本発明の広告転送システムの構成を示す図であり、広告依頼会社１，Ｉコード管理会社２，情報発信会社３，在来型広告メディア４，ユーザ５および携帯端末６で構成される。
【００２１】
この広告転送システムでは、広告依頼会社１がインターネットコード（以下、「Ｉコード」と記す）管理会社２から有償貸与されたＩコードを広告情報と共に情報発信会社３に登録し、従来型広告メディア４に広告原稿をＩコードと共に掲載する。掲載された広告に関心あるユーザ５は掲載されている広告からＩコードを読み取って携帯端末６に入力し、携帯端末６のアドレスと共に情報発信会社３に送信する。情報発信会社３は、受信したＩコード対応の広告情報を携帯端末６宛に電子メールで送信する。
【００２２】
広告依頼会社１は、有効な広告を実現したいと願っている会社であり、これまでの看板，新聞，雑誌等による広告の他、ＩＴを活用した広告に積極的な姿勢をみせている。広告依頼会社１は、Ｉコード使用料の支払と引き換えに、Ｉコード管理会社２からＩコードの期限付きで排他的な使用権を得ることができる。Ｉコードは、簡単な３〜１０桁程度の英数字の組合せで構成される。
【００２３】
広告依頼会社１は、情報発信会社３に対して、発信料を支払ってＩコードおよび広告情報のサーバへの登録を依頼することができる。広告情報とは情報発信会社３からメール発信される広告の要点を纏めたデータをいい、発信料とは情報発信会社３が行う登録と発信への対価である。発信料は、広告情報のデータサイズが大きい程、広告有効期間が長い程、高価となる。また、広告に対するユーザからの反響が大きい（情報発信の要求が多い）場合は、より高額を支払うモデルとなる。
【００２４】
また、広告依頼会社１は、広告をハンドリングする会社（図示省略）に依頼して製作した広告原稿を従来型広告メディア４に掲載する。その広告には、Ｉコード管理会社２から貸与されたＩコードが併記されている。従来型広告メディア４とは、看板，新聞，雑誌等である。
【００２５】
Ｉコード管理会社２は、同じものが複数の会社に貸与されることがないようにＩコードを管理する。広告依頼会社１に対するＩコード使用料は短いコード程、また有効期間が長い程高価となる。例えば、３桁のＩコードの使用料は５桁のそれより高く、有効期間が１カ月のＩコードの使用料は１週間の使用料より高い。
【００２６】
情報発信会社３は、ユーザ５から求めに応じて広告情報をメール発信するサービス会社であり、実際にはＩコード管理会社２と同一会社であることが多い。情報発信会社３は、Ｉコードのホームページをインターネット上に開設しており、また、広告依頼会社１からＩコードと広告情報を受け取ると、所有するサーバ装置に登録する。そして、Ｉコードのホームページを閲覧したユーザ５の携帯端末６からＩコードを受信すると、該当する広告情報を検索して、その携帯端末６へ電子メールで送信する。
【００２７】
携帯端末６は、例えば携帯電話機であり、ＨＴＴＰをサポートしたブラウザからインターネットをアクセスできる機能を有する。また、ブラウザはクッキー機能により、一度入力した自己のメールアドレス等を保存しておく機能も有する。更に、ブラウザは、特定のホームページ（ここでは、Ｉコードのホームページ）のＵＲＬを１クリックで呼び出せる“お気に入り”として登録するか、基本メニューから呼び出すことができるようになっている。
【００２８】
図２は、情報発信会社３が備えているサーバ装置の詳細を示すブロック図である。このサーバ装置３０は、ＷＥＢサーバ３１，ＣＧＩ（Ｃｏｍｍｏｎ　Ｇａｔｅｗａｙ　Ｉｎｔｅｒｆａｃｅ）スクリプト３２，メール送出用データベース３３および顧客登録用データベース３４で構成されている。
【００２９】
ＷＥＢサーバ３１は、インターネット上に開設しているＩコードのホームページを携帯端末６のブラウザからのアクセスに応じて、インターネット上に開設しているＩコードのホームページを閲覧させ、またＣＧＩを実行できる機能を有する。携帯端末６からＩコードとメールアドレスを受信するとＣＧＩスクリプト３２を起動する。ＣＧＩスクリプト３２は、Ｉコードおよびメールアドレスをメール送信用データベース３３と顧客登録用データベース３４へ送る。
【００３０】
メール送信用データベース３３は、Ｉコードと、それに対応する広告情報を図３に示すようレコード形式で予め格納している。広告情報の具体例を挙げると、例えば、Ｉコード「１２３４」に対してＡ不動産の新築分譲マンション物件の紹介、Ｉコード「７７０１」に対してＢ社による新規開発の高性能マイクロプロセッサの提示、Ｉコード「５５４２」に対してＣ西洋美術展の案内であったりする。これらの広告情報は、更なる詳細を求める向きのためにジャンプ先のＵＲＬを含んでいる。
【００３１】
メール送信用データベース３３は、ＣＧＩスクリプト３２からＩコードが入力すると、そのＩコードをキーにして対応する広告情報を検索する。そして、検索された広告情報を、入力したメールアドレス宛にＳＭＴＰ（Ｓｉｍｐｌｅ　Ｍａｉｌ　Ｔｒａｎｓｆｅｒ　Ｐｒｏｔｏｃｏｌ）を用いて送信する。
【００３２】
顧客登録用データベース３４は、ＣＧＩスクリプト３２から受け取ったＩコードとメールアドレスを図４に示すようなレコード形式で格納し蓄積していく。そして、特定のＩコードをキーにして、Ｉコードごとのメールアドレスの纏めを出力することを可能にする。これにより、ユーザ情報の把握や広告のランキングを作成することができるようになる。
【００３３】
再び、図１を参照し、図中に付された番号順に本実施例の動作を説明する。
【００３４】
近年著しく進展したＩＴ技術を活用して有効な広告を打ちたいと願っている広告依頼会社１は、情報発信会社３がインターネット上に流しているＩコードのホームページ等によりＩコードによる広告を知ったとする。先ず、広告依頼会社１はコード管理会社２にＩコード使用料を支払い（図１の▲１▼）、コード管理会社２からＩコードの貸与を受ける（図１の▲２▼）。
【００３５】
一方、広告依頼会社１は、広告をハンドリングする会社に依頼して広告を製作させている。この広告は、従来型広告メディア４に掲載され得るものである。広告依頼会社１は、その広告の広告情報にＩコードを添え、かつ発信料を支払って情報発信会社３に広告の発信を依頼する（図１の▲３▼）。情報発信会社３は、サーバ装置３０のメール送出用データベース３３に、図３に示したようなレコード形式で、Ｉコードと広告情報を登録する。
【００３６】
広告依頼会社１は、製作した広告にＩコードを付加（印刷）して、従来型広告メディア４、例えば電車の中吊り広告、駅やビル内に貼られたポスター等に掲載する（図１の▲４▼）。広告には、例えば、西洋美術展の開催場所、日時、入場料、駐車案内等の地図、そして、Ｉコード「５５４２」が記載される。この広告を見て西洋美術展に興味を持ったユーザ５は、広告上のＩコードを見て（図１の▲５▼）携帯端末（携帯電話等）６のインターネット接続サービスのメニューまたは、登録してある（お気に入り、ブックマーク等）ＵＲＬからＩコードの入力画面（ホームページ）にアクセスする。
【００３７】
アクセスされたサーバ装置３０は携帯端末６にＩコードのホームページのデータを送り、当該データは、図５に示される画面イメージのように、Ｉコードとメールアドレスとを入力する為のウインドウ（窓）を携帯端末６の画面上に表示する。なお、Ｉコードのホームページは、情報発信会社３が開設・管理しているものとする。
【００３８】
ユーザは、Ｉコードの窓に、Ｉコード「５５４２」を入力し、広告情報の転送先のメールアドレス「ｙｏｋｏｈａｍａ１１＠ｋｏｋｏ．ｎｅ．ｊｐ」を入力する（図１の▲６▼）。一度打ち込まれたメールアドレスは、クッキー機能により携帯端末６に記憶されるので、変更のない限り次回にＩコードのホームページにアクセスする際には再度メールアドレスを入力する必要がなく、Ｉコードの入力だけで済むので手続を短縮できる。
【００３９】
ユーザ５が、図５の画面上で「ＯＫ」ボタンをクリックすると、Ｉコード「５５４２」とメールアドレス「ｙｏｋｏｈａｍａ１１＠ｋｏｋｏ．ｎｅ．ｊｐ」が情報発信会社３のサーバ装置３０へ送信される（図１の▲７▼）。サーバ装置３０では、ＷＥＢサーバ３１が受信し、ＣＧＩスクリプト３２を経てメール送出用データベース３３と顧客登録用データベース３４にＩコード「５５４２」とメールアドレス「ｙｏｋｏｈａｍａ１１＠ｋｏｋｏ．ｎｅ．ｊｐ」が転送される。
【００４０】
メール送出用データベース３３では、Ｉコード「５５４２」をキーにして広告情報を検索し、ＳＭＴＰ機能により、検索されたＣ西洋美術展の詳細の覚書をメールアドレス「ｙｏｋｏｈａｍａ１１＠ｋｏｋｏ．ｎｅ．ｊｐ」宛に転送する（図１の▲８▼）。このようにして、ユーザ５はＩコードを使用したカンタンな手続をふみつつも、在来のペーパー等の広告メディアによって得られていたのと同様な形態で広告の詳細情報を得ることができる。
【００４１】
また、顧客登録用データベース３４では、Ｉコード「５５４２」に対応するエントリにメールアドレス「ｙｏｋｏｈａｍａ１１＠ｋｏｋｏ．ｎｅ．ｊｐ」を格納し、「ｙｏｋｏｈａｍａ１１＠ｋｏｋｏ．ｎｅ．ｊｐ」が「５５４２」に関心を持っていることをユーザ情報として登録される（図１の▲９▼）。このようなユーザ情報は、逐一蓄積されていくので、後に統計を採れば、有用なユーザ情報とすることができる。また、ユーザ５からの広告情報発信要求（図１の▲７▼）の回数をカウントし、それを公表して本広告方法の有効性を宣伝したり、広告依頼会社１に対する発信料（図１の▲３▼）に反映させることもできる。
【００４２】
このように、ユーザは、ＵＲＬを覚えること及び入力することなくＩコードによって容易に所望のデータにアクセスすることができようになる。
【００４３】
また、Ｉコード入力画面上に入力されたメールアドレスにメールが送られることによって、端末上に履歴が残るため、Ｉコードを入力した後に広告を見たことを忘れてしまった場合でもメールを確認することにより確実に広告情報を得ることができる。
【００４４】
また、ＵＲＬよりも各段に単純なＩコードを用いることにより、容易に記憶することも可能となる。例えば、ラジオ等では放送中にＵＲＬで所望の情報にアクセスできる旨宣伝を行なっているが、ＵＲＬの代りにＩコードを用いれば、ユーザの混乱も無く容易にアクセスを行うことができるようになる。
【００４５】
さらに、従来型広告メディアとして、看板、新聞、雑誌等のコードが記載されているものについて説明したが、前述のようにラジオや、テレビ、文字放送等にも適用できる。
【００４６】
なお、上記実施例では携帯端末からアクセスして携帯端末にＩコードに基づく広告情報をメールとして送るものについて説明したが、メールの送り先としてメールアドレスを携帯端末ではなく、他の端末、例えば家に置いてある端末（パソコン等）に設定することも可能である。なお、入力の煩わしさを軽減する為、図５の画面において、メールアドレスは複数の候補の中から選択することができることが望ましい。
【００４７】
また、図５の画面（ブラウザ）のクッキー機能を用いてメールアドレスを記憶できることが望ましい。
【００４８】
また、メールにより詳細の要点をメールアドレスに対して転送することについて説明したが、メールに詳細について記載されたホームページのアドレスを添付することも可能である。
【００４９】
【発明の効果】
本発明の第１の効果は、インターネットナンバーにより行った広告情報の送信要求に対して、電子メールで広告情報の転送を受けるという構成としたため、送信要求の手続を簡単化しつつ、在来のペーパー等の広告メディアによって得られていたのと同様な形態で広告の詳細情報を得ることができるようになるということである。
【００５０】
また、本発明の第２の効果は、広告情報の送信要求には転送先のメールアドレスが付加されているため、自然にメールアドレスを収集でき、ユーザ情報を把握できるようになるということである。
【図面の簡単な説明】
【図１】本発明の広告転送システムの構成を示す図
【図２】図１における情報発信会社３が備えているサーバ装置の詳細を示すブロック図
【図３】メール送出用データベース３３におけるレコード形式を示す図
【図４】顧客登録用データベース３４におけるレコード形式を示す図
【図５】携帯端末６におけるＩコードとメールアドレスの入力画面のイメージ図
【符号の説明】
１　　　　広告依頼会社
２　　　　Ｉコード管理会社
３　　　　情報発信会社
４　　　　従来型広告メディア
５　　　　ユーザ
６　　　　携帯端末
３０　　　サーバ装置
３１　　　ＷＥＢサーバ
３２　　　ＣＧＩスクリプト
３３　　　メール送出用データベース
３４　　　顧客登録用データベース
【図１】
2004145809.tif 000003
【図２】
2004145809.tif 000004
【図３】
2004145809.tif 000005
【図４】
2004145809.tif 000006
【図５】
2004145809.tif 000007